(57)【特許請求の範囲】
【請求項１】
果汁をスプレーするためのデバイスであって、前記デバイスは、
上部部分と底部部分とを有するプラスティック材料で形成された果汁抽出器であって、前記果汁抽出器の前記底部部分が、果物、野菜、およびベリーのうちの少なくとも１つの果汁供給源の中へ挿入されるように適合されており、前記果汁抽出器が、前記果物、野菜、およびベリーのうちの少なくとも１つから果汁を収集するためのキャビティーを画定する内面を有する部分を備える、果汁抽出器と、
上部部分と底部部分とを備えるスプレーディスペンサーであって、前記スプレーディスペンサーが、スプレーポンプを備え、前記スプレーポンプが、前記スプレーディスペンサーの前記上部部分の中に部分的に配設され、前記スプレーディスペンサーの前記上部部分から延在しており、前記スプレーディスペンサーの前記底部部分が、前記果汁抽出器の前記上部部分に連結されており、前記スプレーポンプが、前記果物、野菜、およびベリーのうちの少なくとも１つから果汁を収集するための前記キャビティーの中に配設される下側端部を有するチューブを備える、スプレーディスペンサーと、を備え、
前記果汁抽出器が、前記チューブに進入する前に、果汁をろ過するように構成されており、
前記スプレーディスペンサーが、果物、野菜、およびベリーのうちの前記少なくとも１つから抽出される果汁をスプレーするように動作可能である、
デバイス。
【請求項２】
前記果汁抽出器の前記底部部分が、複数の開口部を画定する凹面状の表面を有する下側端部を備え、前記果汁抽出器の前記下側端部が、鋸歯状の縁部を画定する、請求項１に記載のデバイス。
【請求項３】
前記果汁抽出器の前記底部部分が、前記キャビティーの中へ果汁を案内するための複数のチャネルを画定する、請求項１または請求項２に記載のデバイス。
【請求項４】
前記果汁抽出器が、フィルターをさらに備え、前記フィルターが、前記キャビティーの中に配設され、果物の粒子が前記キャビティーの中へ流れ込むことを防止するように構成されており、前記フィルターが、取り外し可能である、請求項１乃至請求項３のいずれかに記載のデバイス。
【請求項５】
前記デバイスが、前記キャビティーと前記スプレーディスペンサーとを通過する軸線に対して実質的に垂直に延在する表面を備え、それによって、前記果物、野菜、およびベリーのうちの少なくとも１つの中へ前記デバイスを挿入するための挿入停止点を画定し、前記スプレーディスペンサーの上部部分が、底部部分に向かってフレア形状になっており、前記フレア形状部分が、前記スプレーディスペンサーの下側端部の直径よりも大きい直径を有し、前記フレア形状部分の底部表面が、前記挿入停止点を形成している、請求項１乃至請求項４のいずれかに記載のデバイス。
【請求項６】
前記スプレーポンプが、
スプレー出口を有するポンプ起動装置であって、前記ポンプ起動装置が、前記キャビティーの中に収集されている果汁を、散布のために前記スプレー出口に向かって前記スプレーポンプの前記チューブの中に流れさせるために、押されるように構成されている、ポンプ起動装置を
さらに備える、請求項１乃至請求項５のいずれかに記載のデバイス。
【請求項７】
前記スプレーディスペンサーと前記果汁抽出器とが、ねじ式の連結部を介して、分離可能に連結される、請求項１乃至請求項６のいずれかに記載のデバイス。
【請求項８】
果汁をスプレーするための方法であって、
果汁を収集するために請求項１乃至請求項７のいずれかの前記デバイスを、果物、野菜、およびベリーのうちの少なくとも１つである果汁供給源の中へ挿入することと、
前記デバイスのスプレー出口を所望の方向に方向付けることと、
前記所望の方向に前記果汁をスプレーするために、ポンプ起動装置を押して、前記デバイスの前記キャビティーの中に収集されている果汁を、スプレー出口に向かって、前記スプレーポンプの前記チューブの中に流れさせることと
を備える、方法。
【請求項９】
挿入する前記ステップが、鋸歯状の縁部を有する果汁抽出器部分の下側端部を回転させることを備えており、前記鋸歯状の縁部が、前記果汁供給源の皮領域を貫通し、前記キャビティーが、果汁で満たされるようになっている、請求項８に記載の方法。
【請求項１０】
請求項１乃至請求項７のいずれかの装置の前記果汁抽出器を前記スプレーディスペンサーから分離することと、
果汁または破片を除去するために前記果汁抽出器を洗浄することと、を備え、
前記果汁または破片の供給源が、果物、野菜、およびベリーのうちの少なくとも１つである、方法。
【請求項１１】
請求項１乃至請求項７のいずれかに記載の装置の前記果汁抽出器を前記スプレーディスペンサーに連結することをさらに備える、請求項１０に記載の方法。
【請求項１２】
請求項７の装置の前記果汁抽出器を、前記ねじ式の連結部を介して、前記スプレーディスペンサーに連結することをさらに備える、請求項１０または請求項１１に記載の方法。
【請求項１３】
前記果汁供給源が、果物であり、前記スプレーディスペンサーが、前記果汁抽出器によって前記果物から抽出された果汁をスプレーするように作動可能であり、前記果汁抽出器が、外部表面の上にスクリューのようなねじ山が付けられる、請求項１乃至請求項７のいずれかに記載のデバイス。
【発明の詳細な説明】
【技術分野】
【０００１】
関連出願の相互参照
本出願は、２０１１年５月１３日に出願された「Ｈａｎｄ−Ｈｅｌｄ  Ｄｅｖｉｃｅ  ｆｏｒ  Ｓｐｒａｙｉｎｇ  Ｆｒｕｉｔ  Ｊｕｉｃｅ  Ｄｉｒｅｃｔｌｙ  ｆｒｏｍ  ｔｈｅ  Ｆｒｕｉｔ」という発明の名称の米国仮特許出願第６１／４８６，１１２号の優先権を主張するものである。また、本出願は、２０１１年１１月３０日に出願された「Ｓｐｒａｙ  Ｄｉｓｐｅｎｓｉｎｇ  Ｄｅｖｉｃｅ」という発明の名称の米国仮特許出願第６１／５６５，４１０号の優先権も主張するものである。上記に参照されている出願のそれぞれの全体の内容は、参照により本明細書に組み込まれている。
【０００２】
本明細書で説明されている例示的な実施形態は、概して、液体をスプレーするためのデバイスに関する。本明細書で説明されている特定の例示的な実施形態は、果物、野菜、ベリー、または、他の液体供給源（簡潔化のために、「果物」）から直接的に果物の果汁をスプレーするためのデバイスに関する。
【背景技術】
【０００３】
柑橘類の果物から果汁を得るための既知の方法は、柑橘類の果物の皮を切ることと、および／または、柑橘類の果物を半分に切り、果物を搾ることとを含むことが多い。そのような既知の方法では、手に果汁が付くことを回避することが困難である可能性がある。場合によっては、単に少量の果物の果汁だけが、料理の材料として必要とされる可能性がある。そのような状況では、そのような既知の方法によって、少量の果汁を得ること、および／または、小さい粒子の状態（例えば、スプレーまたは噴霧）で果汁を得ることが困難である可能性がある。そのうえ、果汁は、果汁から種および／または果肉を除去するためにろ過されることを必要とする可能性がある。
【０００４】
したがって、果物から直接的に果物の果汁をスプレーするための改善された装置と方法とに対する要求が存在する。例示的な態様と実施形態とが、本明細書で説明されている。
【発明の概要】
【０００５】
１つの例示的な態様は、液体をスプレーするためのデバイスを備え、デバイスは、上部部分と底部部分とを有する液体抽出器であって、液体抽出器の底部部分が、液体供給源の中へ挿入されるように適合されており、液体抽出器が、液体供給源から液体を収集するためのキャビティーを画定する部分を備える、液体抽出器と、上部部分と底部部分とを備えるスプレーディスペンサーであって、スプレーディスペンサーが、スプレーポンプを備え、スプレーポンプが、スプレーディスペンサーの上部部分の中に部分的に配設され、スプレーディスペンサーの上部部分から延在しており、スプレーディスペンサーの底部部分が、液体抽出器の上部部分に連結されるように構成されており、スプレーポンプが、液体供給源から液体を収集するためのキャビティーの中に配設される下側端部を有するチューブを備える、スプレーディスペンサーとを備える。
【０００６】
１つまたは複数の例示的な実施形態では、（１）液体供給源が、果物、野菜、およびベリーのうちの少なくとも１つであり、スプレーディスペンサーが、果物、野菜、およびベリーのうちの少なくとも１つから抽出される果汁をスプレーするように作動可能であり、（２）液体抽出器の底部部分が、複数の開口部を画定する凹面状の表面を有する下側端部を備えており、（３）液体抽出器の下側端部が、鋸歯状の縁部を画定しており、（４）液体抽出器の底部部分が、キャビティーの中へ液体を案内するための複数のチャネルを画定しており、（５）液体抽出器が、フィルターをさらに備え、フィルターが、キャビティーの中に配設され、果物の粒子がキャビティーの中へ流れ込むことを防止するように構成されており、（６）フィルターが、取り外し可能であり、（７）デバイスが、キャビティーとスプレーディスペンサーとを通過する軸線に対して実質的に垂直に延在する表面を備え、それによって、果物、野菜、およびベリーのうちの少なくとも１つの中へデバイスを挿入するための挿入停止点を画定しており、（８）スプレーディスペンサーの上部部分が、底部部分に向かってフレア形状になっており、フレア形状部分が、スプレーディスペンサーの下側端部の直径よりも大きい直径を有し、フレア形状部分の底部表面が、挿入停止点を形成しており、（９）スプレーポンプが、スプレー出口を有するポンプ起動装置であって、ポンプ起動装置が、キャビティーの中に収集されている液体を、散布のためにスプレー出口に向かってスプレーポンプのチューブの中に流れさせるために、押されるように構成されている、ポンプ起動装置をさらに備えており、（１０）スプレーディスペンサーと液体抽出器とが、分離可能に連結されており、（１１）スプレーディスペンサーと液体抽出器とが、ねじ式の連結部を介して、分離可能に連結されており、かつ／または、（１２）液体供給源が、果物であり、スプレーディスペンサーが、液体抽出器によって果物から抽出された果汁をスプレーするように作動可能である。
【０００７】
他の例示的な態様は、液体をスプレーするための方法を備え、（ａ）果汁を収集するためにデバイスの実施形態を果汁供給源の中へ挿入することと、（ｂ）デバイスのスプレー出口を所望の方向に方向付けることと、（ｃ）所望の方向に果汁をスプレーするために、ポンプ起動装置を押して、デバイスのキャビティーの中に収集されている果汁を、スプレー出口に向かって、スプレーポンプのチューブの中に流れさせることとを備える。
【０００８】
１つまたは複数の例示的な実施形態では、挿入するステップが、鋸歯状の縁部を有する果汁抽出器部分の下側端部を回転させることを備えており、鋸歯状の縁部が、果汁供給源の皮領域を貫通し、キャビティーが、果汁で満たされるようになっている。
【０００９】
他の例示的な態様は、実施形態の液体抽出器をスプレーディスペンサーから分離することと、液体または破片を除去するために実施形態の液体抽出器を洗浄することとを備える。１つまたは複数の例示的な実施形態では、（１）液体または破片の供給源が、果物、野菜、およびベリーのうちの少なくとも１つであり、かつ／または、（２）方法が、液体または破片を除去するためにフィルターを洗浄することとを備える。
【００１０】
他の例示的な態様は、実施形態の液体抽出器を実施形態のスプレーディスペンサーに連結することを備える方法を備える。１つまたは複数の例示的な実施形態では、実施形態の液体抽出器を実施形態のスプレーディスペンサーに連結することが、ねじ式の連結部を介して行われる。
【００１１】
他の例示的な態様と実施形態とは、以下の図面と説明とから明らかになることとなる。
【図面の簡単な説明】
【００１２】
【図１】例示的な実施形態によるスプレーデバイスの斜視図。
【図２】図１のスプレーデバイスの拡大図。
【図３】図１のスプレーデバイスの断面図。
【図４】図１のスプレーデバイスの一部分の斜視図。
【図５】例示的な実施形態の２つのコンポーネントを示す斜視図。
【図６】図５に示されている実施形態の果汁抽出器コンポーネントの２つの視点を示す図。
【図７】図５のデバイスの例示的な使用を示す図。
【図８】例示的な実施形態の斜視図。
【図９】例示的な実施形態の斜視図。
【図１０】例示的な実施形態の斜視図。
【図１１】例示的な実施形態の斜視図。
【図１２Ａ】例示的な部品リスト。
【図１２Ｂ】例示的な部品リスト。
【図１３】例示的な実施形態の液体抽出器の底部部分の代替的な図。
【発明を実施するための形態】
【００１３】
本明細書で説明されている特定の例示的な実施形態は、果物、野菜、ベリー、または、他の液体供給源（繰り返しになるが、簡潔化のために「果物」という）の中へ直接的に挿入されるスプレーデバイスを備える。スプレーデバイスは、果物から直接的に果汁をスプレーすることを促進し、したがって、上述の手順の限定を回避する。
【００１４】
図１〜図４は、例示的な実施形態によるスプレーデバイス１００を図示している。図１に示されているように、スプレーデバイス１００は、本体部１１０と、アクチュエーター１４０と、ポンプ１６０と、係合部材１２０とを含むことが可能である。本体部１１０は、アクチュエーター１４０に連結するように構成されているフレア形状部分１１１と、係合部材１２０に連結するように構成されているネック部１１２とを含むことが可能である。本体部１１０は、内側表面１１５をさらに含むことが可能であり、内側表面１１５は、チャネル１１６を画定し、その間にポンプ１６０を受け入れる。同様に述べると、ポンプ１６０は、本体部１１０の内側表面１１５によって画定されるチャネル１１６の中に少なくとも部分的に配設されることが可能である。
【００１５】
本体部１１０は、任意の適当な形状、サイズ、または構成であることが可能である。例えば、図１に示されているように、本体部１１０のフレア形状部分１１１は、第１の直径を画定する第１の端部（例えば、上部端部）と、第１の直径よりも実質的に大きい第２の直径を画定する第２の端部（例えば、底部端部）とを含むことが可能である。このような態様で、フレア形状部分１１１は、使用者の手がフレア形状部分１１１を容易に把持することができるように、人間工学的な形状を画定することが可能である。同様に述べると、フレア形状部分１１１は、スプレーデバイス１００が柑橘類の果物の中へさらに挿入されることを防止する表面を画定することが可能である。すなわち、フレア形状部分は、製品が果物の中へ深く挿入され過ぎることを防止する。
【００１６】
表面は、図１において、実質的に滑らかであるように示されているが、本体部１１０は、任意の適切な表面を画定することが可能である。例えば、いくつかの実施形態では、フレア形状部分１１１は、使用者の手または指に係合するように構成される隆起部および／または突出部を備えたグリップを含むことが可能である。
【００１７】
本体部１１０は、例えば、プラスチック、熱可塑性物質、ポリマー、セラミック、金属、ガラス、および／または、それらの任意の組み合わせなどのような、任意の適切な材料から形成されることが可能である。したがって、フレア形状部分１１１は、例えば、使用者の手とフレア形状部分１１１との間の摩擦を増加させるざらざらの表面などのような、任意の適切な表面処理を含むことが可能である。
【００１８】
ネック部１１２は、フレア形状部分１１１から延在するように構成されることが可能である。フレア形状部分１１１よりも小さい直径を画定するように図１に示されているが、ネック部１１２は、任意の適切なサイズまたは形状を画定することが可能である。例えば、いくつかの実施形態では、ネック部１１２は、フレア形状部分１１１よりも幅広であることが可能である。代替的に、他の実施形態では、ネック部１１２は、例えば、楕円形、正方形、長方形などを含む、他の断面を有することが可能である。
【００１９】
図２を参照すると、アクチュエーター１４０は、本体部１１０に作動可能に連結されるように構成されることが可能である。より具体的には、アクチュエーター１４０は、本体部１１０の内側表面１１５によって画定されるチャネル１１６の中へ挿入されるように構成される外側表面１４１を含むことが可能である。したがって、アクチュエーター１４０の内側表面１４５は、内側表面１１５の上部部分から延在する環状の突出部１４６を含むことが可能である（図３参照）。環状の突出部１４６は、ポンプ１６０の一部分を受け入れるように構成されることが可能である。このような態様で、アクチュエーター１４０は、ポンプ１６０に連結されることが可能であり、そのいずれかまたは両方が、本体部１１０の中に配設されることが可能である。
【００２０】
アクチュエーター１４０の外側表面１４１は、係合部分１４２を含むことが可能である。係合部分１４２は、使用者の指を受け入れるように構成された人間工学的な形状を画定することが可能である。このような態様で、使用者は、アクチュエーター１４０を押し下げ、スプレーデバイス１００を作動させることが可能である。
【００２１】
したがって、アクチュエーター１４０は、ノズル１５０を受け入れるように構成されている出口部分１４３を含むことが可能である。ノズル１５０は、液体をスプレーするように構成されている任意の適切なノズルであることが可能である。いくつかの実施形態では、ノズル１５０は、アクチュエーター１４０と一体的に形成されることが可能である。同様に述べると、いくつかの実施形態では、アクチュエーター１４０の出口部分１４３は、流体のスプレーを送達するように構成されているオリフィスを画定することが可能である。
【００２２】
上述のように、ポンプ１６０は、スプレーデバイス１００の本体部１１０の中に少なくとも部分的に配設されることが可能である。ポンプ１６０は、任意の適切な態様で本体部１１０に連結されることが可能である。例えば、本体部１１０の内側表面１１５は、ポンプ１６０の一部分に係合するように構成されている上側着座部１１７を画定することが可能である。いくつかの実施形態では、ポンプ１６０は、本体部１１０の内側表面１１５との摩擦適合を画定することが可能である。他の実施形態では、ポンプ１６０と本体部１１０とは、ねじ式の連結部を画定することが可能である。ポンプ１６０は、液体のスプレーを送達するように構成されている任意の適切なポンプ１６０であることが可能である。例えば、いくつかの実施形態では、ポンプ１６０は、容積移送式ポンプであることが可能である。
【００２３】
いくつかの実施形態では、ポンプ１６０は、負圧力差に応答して、出口および／または出口部分に流体を送達するように構成されることが可能である。例えば、ポンプ１６０は、チャンバーの中の空気および／または流体が排出されるように、作動させられることが可能である。空気および／または流体の排除は、ポンプ１６０が吸引チューブを通してチャンバーの中に流体を引き入れるように、負圧を存在させることが可能である。いくつかの実施形態では、ポンプ１６０は、アクチュエーター１４０に応答して開閉するように構成されている弁アッセンブリを含むことが可能である。例えば、いくつかの実施形態では、ポンプ１６０は、アクチュエーター１４０が使用者によって押し下げられたとき、弁が開き、流体を送達するように構成されていることが可能である。
【００２４】
上述のように、係合部材１２０は、本体部１１０のネック部１１２に連結されるように構成されることが可能である。より具体的には、係合部材１２０は、本体部１１０のネック部１１２の中へ挿入されるように構成されている延長部１２２を含むことが可能である。係合部材１２０は、環状のスロット１２３（図４参照）を画定する外側表面１２１を含むことが可能であり、環状のスロット１２３は、本体部１１０の内側表面１１５によって画定される環状の突出部１１８に係合するように構成されている。したがって、係合部材１２０の延長部１２２が、本体部１１０のネック部１１２の中へ挿入されるとき、環状のスロット１２３が、環状の突出部１１８を受け入れることが可能である。このような態様で、係合部材１２０は、本体部１１０に連結されることが可能である。
【００２５】
いくつかの実施形態では、環状の突出部１１８は、例えば、ポリプロピレン（ＰＰ）などのような高い摩擦係数を画定する材料から形成されることが可能である。他の実施形態では、環状の突出部１１８は、任意の適切な材料であることが可能であり、かつ、オーバーモールド成形品として形成されることが可能である（例えば、本体部１１０が、所与の材料から形成されており、環状の突出部１１８が、第２の材料から形成され、第１の材料の上部に成形されている）。さらなる他の実施形態では、係合部材１２０は、ねじ式の連結部を使用して、本体部１１０のネック部１１２に連結されることが可能である。そのような実施形態では、係合部材１２０は、本体部１１０に対して係合部分１２０をねじることによって、本体部１１０に連結されることと、本体部１１０から分離されることとが可能である。代替的に、係合部材１２０は、本体部１１０と一体的に形成されることが可能である（例えば、係合部材１２０は、本体部１１０と一緒に形成されることが可能である）。
【００２６】
係合部材１２０は、係合部分１２４を含むことが可能である（図４参照）。係合部分１２４は、柑橘類の果物の中へ挿入されるように構成されることが可能である。より具体的には、係合部分１２４は、鋸歯状の端部表面１２７を含むことが可能であり、鋸歯状の端部表面１２７は、柑橘類の果物の皮を切るように構成されており、係合部分１２４が柑橘類の果物の中へ挿入されることが可能であるようになっている。したがって、係合部分１２４は、凹面状の表面１２５を含むことが可能であり、凹面状の表面１２５は、係合部分１２４の中に配設される皮の一部分を受け入れるように構成されている。同様に述べると、凹面状の表面１２５は、鋸歯状の端部表面１２７が皮を越えて延在することを可能にするように構成されることが可能である。
【００２７】
係合部分１２４が、柑橘類の果物の中へ挿入された状態で、アクチュエーター１４０は、ポンプ１６０が吸引力を柑橘類の果物に伝達するように作動させられることが可能である。係合部分１２４は、通路１２６のセットを含むことが可能であり、通路１２６のセットは、果物内の果汁が係合部分１２４に進入することを可能にするように構成されている。より具体的には、果汁が通路１２６を通って伝達されると、果汁は、係合部材１２０の内側表面１２８によって画定されるチャネル１２９に進入することが可能である（図３参照）。チャネル１２９は、フィルター１３０を含むことが可能であり、フィルター１３０は、ポンプ１６０の中に含まれている吸引チューブに進入する前に、果肉、種、および／または破片から果汁をろ過するように構成されている。フィルター１３０は、例えば、メッシュフィルター１３０などのような任意の適切なフィルターであることが可能である。
【００２８】
そのような実施形態では、メッシュフィルター１３０は、フィルターを通る所与の果汁の流量を可能にするように構成される任意の適切なメッシュサイズを画定することが可能であり、金属、プラスチック、または、任意の他の適切な材料から作製されることが可能である。図３および図４において、実質的に指ぬき形状として示されているが、フィルター１３０は、任意の適切な形状であることが可能である。
【００２９】
例えば、いくつかの実施形態では、フィルターは、平坦な円盤、円錐形のフィルター、切頭円錐形のフィルター、凸面上の／凹面状のフィルター、および／または、任意の他の適切なフィルターであることが可能である。このような態様で、柑橘類の果物の中に含有される果汁は、ポンプ１６０に伝達され、ノズル１５０を通して送達されることが可能である。いくつかの実施形態では、メッシュフィルター１３０は、洗浄されるために取り外されることが可能である。例えば、使用者は、本体部１１０に対して係合部分１２０をねじることによって、本体部１１０から係合部材１２０を取り外し、フィルター１３０から果肉、種、または他の破片を洗い落とすことが可能である。フィルター１３０は、洗浄されるか、または取り換えられた後で、係合部分１２０の中へ挿入して戻され、本体部１１０に再連結されることが可能である。いくつかの実施形態では、フィルター１３０は、本体部１１０および／または係合部材１２０と一体に形成されることが可能である。
【００３０】
特定の実施形態では、別々のフィルター部品を使用する代わりに、またはそれに加えて、フィルターの機能性は、果汁抽出器コンポーネントの底部部分において穿孔のセットを使用して、実現されることが可能である（例えば、図１０、図１１、および図１３参照）。
【００３１】
特定の例示的な実施形態では、係合部分１２４（図１〜図４）などのようなスプレーデバイスの底部部分を、果物（または、野菜、ベリーなど）の中へ直接的に挿入することは、果物から、スプレーデバイスの本体部の中に画定されているチャネル１２９（図３）などのようなキャビティーの中へ、果汁を流れさせることが可能である。次いで、ポンプ（例えば、図３の１６０）のポンプ起動装置（例えば、図３のアクチュエーター１４０）を押し下げる結果として、吸引力は、キャビティーの中に収集されている果汁を、ポンプチューブを介して、ポンプ起動装置に向かって上方へ伝達させ、ノズル（例えば、図２の１５０）を介して、ミストなどの小さい粒子の状態で放出させることが可能である。
【００３２】
所望の方向にノズルを方向付けることによって、スプレーデバイスの使用者が、ミストの方向を制御することが可能になる。スプレーデバイスの下側部分は、通路１２６（図２〜図４）などのような１つまたは複数のチャネル、および／または、複数の開口部を備えた凹面状の端部を画定し、果物の中へスプレーデバイスを挿入したときに、キャビティーの中への果物の果汁の流れを促進および／または案内することが可能である。図１〜図４は、４つのチャネルを含むスプレーデバイスを示しているが、より少ない、または、より多いチャネルが、スプレーデバイスの下側部分の中に形成されることが可能である。
【００３３】
他の例示的な実施形態は、果物、野菜、ベリー、または他の液体供給源から直接的に果物の果汁をスプレーするための手持ち式のデバイスを備える。デバイスは、２つの部分（エーロゾルスプレーポンプコンポーネントと果汁抽出器コンポーネント）を備える（図５参照）。エーロゾルスプレーポンプコンポーネントは、ポンプと、ポンプ起動装置と、エーロゾルポートと、サイホンチューブと、ねじ式のカラーとを含む。果汁抽出器コンポーネントは、ねじ式の端部と、中空本体部と、チャネルを備える中実本体部と、鋸歯状の端部とを含む。
【００３４】
この例示的な実施形態で使用されるポンプは、形状が円筒形状であり、硬質プラスチックから作製されることが可能である。サイホンチューブは、中空で可撓性のプラスチックチューブから作製され、ポンプの一方の端部から延在することが可能である。ポンプ起動装置は、形状が円筒形状であり、硬質プラスチックから作製されることが可能であり、かつ、サイホンチューブの端部と反対側のポンプの端部と一体化されることが可能である。円形のエーロゾルポートは、ポンプ起動装置の環状の表面の中へ一体化されることが可能である。ねじ式のカラーは、ポンプの直径よりも大きい直径を備える硬質プラスチックから作製された短い中空の円筒体であることが可能である。
【００３５】
ねじ式のカラーの内部表面は、スクリューのようにねじ山が付けられていることが可能である。ねじ式のカラーの一方の端部は、閉じられており、ポンプがポンプ起動装置に出会う、ポンプの外部表面に取り付けられることが可能であり、一方、もう一方の端部は、開いており、ポンプを取り囲むことが可能である。果汁抽出器は、半分が中空であって半分が中実であるチューブ形状の円筒体であることが可能であり、ねじ式のカラーの直径よりもわずかに小さいがポンプの直径より大きい直径を有している。
【００３６】
果汁抽出器のすべての部分は、硬質プラスチックから作製されることが可能であり、円筒形状であることが可能であり、かつ、同じ材料の部品から形成されることが可能である。中空本体部の一方の端部は、外部表面の上にスクリューのようなねじ山が付けられることが可能であり、ねじ式の端部を備えている。中空本体部の反対側の端部は、果汁抽出器の残りの半分と一体化されており、中実本体部である。２つのチャネルが、中実本体部の全体を通して互いに垂直に切られていることが可能であり、互いに直角に間隔をおいて配置された４つの同軸チャネルを結果として生じている。
【００３７】
中空本体部と一体化されている端部と反対側の中実本体部の端部は、凹面状および鋸歯状であり、鋸歯状の端部を形成することが可能である。エーロゾルスプレーポンプのねじ式のカラーは、ねじり運動によって果汁抽出器のねじ式の端部に接合されることが可能であり、ポンプは、中空本体部に適合し、サイホンチューブは、チャネルを備えた中実本体部に適合し、その中間地点まで到達する（図５および図６）。
【００３８】
他の例示的な態様は、２つの部分（果汁をスプレーするための手段と、果汁を抽出するための手段）を備える。果汁をスプレーするための手段は、果汁をポンプ移送するための手段と、ポンプを作動させる手段と、エーロゾルの出口の手段と、果汁取込みの手段と、果汁を抽出するための手段に接続する手段とを含むことが可能である。
【００３９】
果汁を抽出するための手段は、果汁をスプレーするための手段に接続する手段と、ポンプを収容する手段と、果汁の流れを可能にする手段と、果物を突き刺す手段とを含むことが可能である。果汁をポンプ移送するための手段は、形状が円筒形状であり、硬質プラスチックから作製されることが可能である。
【００４０】
果汁取込みの手段は、中空で可撓性のプラスチックチューブから作製され、果汁をポンプ移送するための手段の一方の端部から延在することが可能である。ポンプを作動させる手段は、形状が円筒形状であり、硬質プラスチックから作製されることが可能であり、かつ、果汁取込みの手段の端部と反対側の果汁をポンプ移送するための手段端部と一体化されることが可能である。エーロゾルの出口の手段は、ポンプを作動させる手段の環状の表面の中へ一体化されることが可能である。
【００４１】
果汁を抽出するための手段に接続する手段は、果汁をポンプ移送するための手段の直径よりも大きい直径を備える硬質プラスチックから作製された短い中空の円筒体であることが可能である。果汁を抽出するための手段に接続する手段の内部表面は、スクリューのようにねじ山が付けられていることが可能である。果汁を抽出するための手段に接続する手段の一方の端部は、閉じられており、果汁をポンプ移送するための手段がポンプを作動させる手段に出会う、果汁をポンプ移送するための手段の外部表面に取り付けられることが可能であり、一方、もう一方の端部は、開いており、果汁をポンプ移送するための手段を取り囲むことが可能である。果汁を抽出するための手段は、半分が中空であって半分が中実であるチューブ形状の円筒体であることが可能であり、果汁を抽出するための手段に接続する手段の直径よりもわずかに小さいが果汁をポンプ移送するための手段の直径より大きい直径を有している。
【００４２】
果汁を抽出するための手段のすべての部分は、硬質プラスチックから作製されることが可能であり、円筒形状であることが可能であり、かつ、同じ材料の部品から形成されることが可能である。ポンプを収容する手段の一方の端部は、外部表面の上にスクリューのようなねじ山が付けられることが可能であり、果汁をスプレーするための手段に接続する手段を備えている。ポンプを収容する手段の反対側の端部は、果汁を抽出するための手段の残りの半分と一体化されており、果汁流れを可能にする手段である。
【００４３】
２つのチャネルが、果汁流れを可能にする手段の全体を通して互いに垂直に切られていることが可能であり、互いに直角に間隔をおいて配置された４つの同軸チャネルを結果として生じている。ポンプを収容する手段と一体化されている端部と反対側の、果汁流れを可能にする手段の端部は、凹面状および鋸歯状であり、果物を突き刺す手段を形成することが可能である。果汁を抽出するための手段に接続する手段は、ねじり運動によって果汁をスプレーするための手段に接続する手段に接合されることが可能であり、果汁をポンプ移送するための手段は、ポンプを収容する手段に適合し、果汁取込みの手段は、果汁流れを可能にする手段に適合し、その中間地点まで到達する。
【００４４】
作動中に、使用者は、例えば、内部をほぐすために圧力を加えながら、１つの柑橘類の果物を硬い表面の上で転がすことが可能である。次いで、本発明の鋸歯状の端部は、ねじり運動によって、果物の表皮を通して、および、内部の果肉の中へ、好ましくは、かつて果柄が取り付けられていた果物の範囲を通して、挿入されることが可能である。次いで、使用者は、指を使用してポンプ起動装置を押圧することによって、エーロゾルポンプを作動させることが可能である。果汁は、エーロゾルポートからエーロゾルの形態で出てくることとなる（図７参照）。
【００４５】
図８〜図１１は、例示的な実施形態の斜視図である。
【００４６】
図１２Ａと図１２Ｂとは、部品リストを備え、部品リストは、例示的な実施形態を組み立てるための特定のコンポーネント部品を購入するのに使用されることが可能である。この場合の部品供給者は、中国のＺｈｅＪｉａｎｇ  ＹｕＹａｏ  Ｃｉｔｙ  ＺｈｉＢｉｎｇ  Ｓｐｒａｙ  Ｆａｃｔｏｒｙである。
【００４７】
図１２Ａおよび図１２Ｂの部品リストは、情報目的と実施可能目的のためだけに提供されており、特許請求されている発明の実施をするためのいかなる黙示的な許可を構成することはなく、かつ、それを提供することは意図していない。
【００４８】
特定の例示的な実施形態が、本明細書で説明されているが、それらの実施形態は、例としてのみ提供されており、限定をするものではないということが理解されるべきである。実施形態が、とりわけ、示されて説明されてきたが、形態と詳細との様々な変形がなされることが可能であるということが理解されよう。様々な実施形態が、特定の特徴、および／または、コンポーネントの組み合わせを有するものとして説明されてきたが、他の実施形態が、上述の実施形態の任意のものから、任意の特徴および／またはコンポーネントの組み合わせを有することが可能である。
以下、本願の出願当初の特許請求の範囲に記載された発明を付記する。
［１］
液体をスプレーするためのデバイスであって、前記デバイスは、
上部部分と底部部分とを有する液体抽出器であって、前記液体抽出器の前記底部部分が、液体供給源の中へ挿入されるように適合されており、前記液体抽出器が、前記液体供給源から液体を収集するためのキャビティーを画定する部分を備える、液体抽出器と、
上部部分と底部部分とを備えるスプレーディスペンサーであって、前記スプレーディスペンサーが、スプレーポンプを備え、前記スプレーポンプが、前記スプレーディスペンサーの前記上部部分の中に部分的に配設され、前記スプレーディスペンサーの前記上部部分から延在しており、前記スプレーディスペンサーの前記底部部分が、前記液体抽出器の前記上部部分に連結されるように構成されており、前記スプレーポンプが、前記液体供給源から液体を収集するための前記キャビティーの中に配設される下側端部を有するチューブを備える、スプレーディスペンサーと
を備える、デバイス。
［２］
前記液体供給源が、果物、野菜、およびベリーのうちの少なくとも１つであり、前記スプレーディスペンサーが、果物、野菜、およびベリーのうちの前記少なくとも１つから抽出される果汁をスプレーするように作動可能である、［１］に記載のデバイス。
［３］
前記液体抽出器の前記底部部分が、複数の開口部を画定する凹面状の表面を有する下側端部を備える、［１］に記載のデバイス。
［４］
前記液体抽出器の前記下側端部が、鋸歯状の縁部を画定する、［３］に記載のデバイス。
［５］
前記液体抽出器の前記底部部分が、前記キャビティーの中へ液体を案内するための複数のチャネルを画定する、［１］に記載のデバイス。
［６］
前記液体抽出器が、フィルターをさらに備え、前記フィルターが、前記キャビティーの中に配設され、果物の粒子が前記キャビティーの中へ流れ込むことを防止するように構成されている、［１］に記載のデバイス。
［７］
前記フィルターが、取り外し可能である、［６］に記載のデバイス。
［８］
前記デバイスが、前記キャビティーと前記スプレーディスペンサーとを通過する軸線に対して実質的に垂直に延在する表面を備え、それによって、果物、野菜、およびベリーのうちの少なくとも１つの中へ前記デバイスを挿入するための挿入停止点を画定する、［１］に記載のデバイス。
［９］
前記スプレーディスペンサーの前記上部部分が、前記底部部分に向かってフレア形状になっており、前記フレア形状部分が、前記スプレーディスペンサーの前記下側端部の直径よりも大きい直径を有し、前記フレア形状部分の底部表面が、前記挿入停止点を形成している、［８］に記載のデバイス。
［１０］
前記スプレーポンプが、
スプレー出口を有するポンプ起動装置であって、前記ポンプ起動装置が、前記キャビティーの中に収集されている液体を、散布のために前記スプレー出口に向かって前記スプレーポンプの前記チューブの中に流れさせるために、押されるように構成されている、ポンプ起動装置を
さらに備える、［１］に記載のデバイス。
［１１］
前記スプレーディスペンサーと前記液体抽出器とが、分離可能に連結される、［１］に記載のデバイス。
［１２］
前記スプレーディスペンサーと前記液体抽出器とが、ねじ式の連結部を介して、分離可能に連結される、［１］に記載のデバイス。
［１３］
液体をスプレーするための方法であって、
果汁を収集するために［１］の前記デバイスを果汁供給源の中へ挿入することと、
前記デバイスのスプレー出口を所望の方向に方向付けることと、
前記所望の方向に前記果汁をスプレーするために、ポンプ起動装置を押して、前記デバイスの前記キャビティーの中に収集されている果汁を、スプレー出口に向かって、前記スプレーポンプの前記チューブの中に流れさせることと
を備える、方法。
［１４］
挿入する前記ステップが、鋸歯状の縁部を有する果汁抽出器部分の下側端部を回転させることを備えており、前記鋸歯状の縁部が、前記果汁供給源の皮領域を貫通し、前記キャビティーが、果汁で満たされるようになっている、［１３］に記載の方法。
［１５］
［１］の前記液体抽出器を［１］の前記スプレーディスペンサーから分離することと、
液体または破片を除去するために［１］の前記液体抽出器を洗浄することと
を備える、方法。
［１６］
前記液体または破片の供給源が、果物、野菜、およびベリーのうちの少なくとも１つである、［１５］に記載の方法。
［１７］
［１］の前記液体抽出器を［１］の前記スプレーディスペンサーに連結すること
を備える、方法。
［１８］
［１２］の前記液体抽出器を、前記ねじ式の連結部を介して、［１２］の前記スプレーディスペンサーに連結すること
を備える、方法。
［１９］
前記液体供給源が、果物であり、前記スプレーディスペンサーが、前記液体抽出器によって前記果物から抽出された果汁をスプレーするように作動可能である、［１］に記載のデバイス。
［２０］
［６］の前記液体抽出器を［６］の前記スプレーディスペンサーから分離することと、
液体または破片を除去するために［６］の前記フィルターを洗浄することと
を備える、方法。
【図１】
0005781689.tif 000002
【図２】
0005781689.tif 000003
【図３】
0005781689.tif 000004
【図４】
0005781689.tif 000005
【図５】
0005781689.tif 000006
【図６】
0005781689.tif 000007
【図７】
0005781689.tif 000008
【図８】
0005781689.tif 000009
【図９】
0005781689.tif 000010
【図１０】
0005781689.tif 000011
【図１１】
0005781689.tif 000012
【図１２Ａ】
0005781689.tif 000013
【図１２Ｂ】
0005781689.tif 000014
【図１３】
0005781689.tif 000015